(57)【要約】【課題】  土中移動動物であるモグラの捕獲タイミングを改善して効率よく捕獲する。【解決手段】  モグラの通り道にセットされる主捕獲体１６のセット位置の前後に、移動するモグラによる土の盛り上がりを検知する検知体２２、２２を配設し、何れか一方の検知体２２の検知ではなく、両検知体２２、２２が共に検知することにタイミングを合わせて主捕獲体１６を待機姿勢から捕獲姿勢に変姿する構成にしてモグラの取り逃がしをなくすようにした。【選択図】        図７
2005245286.tif 000002
【特許請求の範囲】
【請求項１】
土中移動をするモグラ科動物の通り道に配される捕獲器であって、該捕獲器は、
動物を捕獲すべく待機する待機姿勢と動物を捕獲する捕獲姿勢とに変姿自在な捕獲手段と、
該捕獲手段をあいだに挟むようにして前記通り道に配され、モグラ科動物の通過を検知する第一、第二の検知手段と、
捕獲手段を捕獲姿勢側に付勢する付勢手段と、
前記捕獲手段を待機姿勢に保持する姿勢保持手段とを備えて構成され、
前記姿勢保持手段と検知手段とは、両検知手段が共に検知状態となったとき待機姿勢の保持を解除するが、何れか一方の検知手段が検知状態となった状態では待機姿勢のままに保持されるように連繋されていることを特徴とするモグラ科動物の捕獲器。
【請求項２】
請求項１において、捕獲手段はモグラ科動物が通過可能なリング状の捕獲部材からなり、該捕獲部材は、地面にセットされるフレームから下方に突出してモグラ科動物の通過を許容する待機姿勢から、フレームに退入してモグラ科動物をフレームとの間で挟持捕獲する捕獲姿勢に変姿するように構成されていることを特徴とするモグラ科動物の捕獲器。
【請求項３】
請求項２において、フレーム下端部には、モグラ科動物の挟持捕獲を補助するための補助捕獲部材が設けられていることを特徴とするモグラ科動物の捕獲器。
【請求項４】
請求項１乃至３の何れかにおいて、検知手段は、モグラ科動物の通り道の土面に載置され、モグラ科動物が土中移動することに基づく土面の持ち上がりを検知する検知体により構成されていることを特徴とするモグラ科動物の捕獲器。
【請求項５】
請求項１乃至４の何れかにおいて、姿勢保持手段は、捕獲手段に作動体を介して連結された作動部材と、該作動部材に形成した係止部に係脱自在に係止する作動部材と、検知手段の検知作動に連動して作動部材を脱離姿勢に変姿するトリガー部材とで構成されていることを特徴とするモグラ科動物の捕獲器。
【請求項６】
請求項２乃至５の何れかにおいて、捕獲器には、通り道の下面深さを測定する深さ測定具が備えられていることを特徴とするモグラ科動物の捕獲器。
【発明の詳細な説明】
【技術分野】
【０００１】
本発明は、農作物に被害を与えるモグラやヒミズ等の土中移動をする食虫目モグラ科の動物の捕獲器の技術分野に属するものである。
【背景技術】
【０００２】
一般に、モグラ、ヒミズ等のモグラ科動物は、食物の捕獲、移動等を含めた殆んどの生活を地中で行っている。そしてこのような動物が農作物の植立している直ぐ下を移動すると根が切られたり持ち上げられたりし、しかもモグラ科動物により掘り起こされた土は乾燥が早いこともあって農作物が枯れてしまったりするなどの被害が実際に多発している。
ところで前記モグラ科動物は、視覚が殆んど退化している代わりに嗅覚や触角等の感覚がネズミ当の他の動物よりも遥かに敏感になっていて極めて用心深く、移動経路に仕掛けた捕獲器に人間の臭いが残っていたり、何らかの不自然さを感じたりすると、そこを避けるようにして移動をすることになって捕獲率が低く、一旦侵入を許してしまうと退治が難しく被害の発生を防ぎ得ないのが実情である。
そしてこのような現状において、従来から種々の捕獲器が提唱されている。このような捕獲器として、たとえば特許文献１、２に示すように、モグラ科動物が通過したことを感知する感知手段を設け、該感知手段による感知があった場合にこれをトリガーとして刺殺部材や捕獲部材を作動させて捕獲するようにしている（例えば特許文献１、２。）。
【特許文献１】特開平１１−２０６３０４号公報
【特許文献２】特開平９−５６３１７号公報
【発明の開示】
【発明が解決しようとする課題】
【０００３】
ところで前記前者の捕獲装置は、モグラ科動物が土中を移動する際に盛り上がる土の圧力を検知したことをトリガーとして捕獲作動するものであり、このようなものでは、動物が捕獲具（銛）の直下に来る前の段階の土の盛り上がりを検知してトリガー作動するということがあってタイミングが早すぎ取り逃がしが多いという問題がある。これに対し、後者のものは動物の移動経路に作動補助部材を設置し、モグラ科動物が直接作動補助部材を動かすことをトリガーとして捕獲作動するものであるため前者のような早いタイミングでの捕獲作動が少ないが、モグラ科動物は前述したように非常に臆病で注意深く敏感であるため、作動補助部材に近づく際の土圧変化に不自然さ感じたり作動補助部材に付着する人間の臭いを感じたりして近寄らず避けて通ることがあって捕獲率が低いという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、土中移動をするモグラ科動物の通り道に配される捕獲器であって、該捕獲器は、動物を捕獲すべく待機する待機姿勢と動物を捕獲する捕獲姿勢とに変姿自在な捕獲手段と、該捕獲手段をあいだに挟むようにして前記通り道に配され、モグラ科動物の通過を検知する第一、第二の検知手段と、捕獲手段を捕獲姿勢側に付勢する付勢手段と、前記捕獲手段を待機姿勢に保持する姿勢保持手段とを備えて構成され、前記姿勢保持手段と検知手段とは、両検知手段が共に検知状態となったとき待機姿勢の保持を解除するが、何れか一方の検知手段が検知状態となった状態では待機姿勢のままに保持されるように連繋されていることを特徴とするモグラ科動物の捕獲器である。
請求項２の発明は、請求項１において、捕獲手段はモグラ科動物が通過可能なリング状の捕獲部材からなり、該捕獲部材は、地面にセットされるフレームから下方に突出してモグラ科動物の通過を許容する待機姿勢から、フレームに退入してモグラ科動物をフレームとの間で挟持捕獲する捕獲姿勢に変姿するように構成されていることを特徴とするモグラ科動物の捕獲器である。
請求項３の発明は、請求項２において、フレーム下端部には、モグラ科動物の挟持捕獲を補助するための補助捕獲部材が設けられていることを特徴とするモグラ科動物の捕獲器である。
請求項４の発明は、請求項１乃至３の何れかにおいて、検知手段は、モグラ科動物の通り道の土面に載置され、モグラ科動物が土中移動することに基づく土面の持ち上がりを検知する検知体により構成されていることを特徴とするモグラ科動物の捕獲器である。
請求項５の発明は、請求項１乃至４の何れかにおいて、姿勢保持手段は、捕獲手段に作動体を介して連結された作動部材と、該作動部材に形成した係止部に係脱自在に係止する作動部材と、検知手段の検知作動に連動して作動部材を脱離姿勢に変姿するトリガー部材とで構成されていることを特徴とするモグラ科動物の捕獲器である。
請求項６の発明は、請求項２乃至５の何れかにおいて、捕獲器には、通り道の下面深さを測定する深さ測定具が備えられていることを特徴とするモグラ科動物の捕獲器である。
【発明の効果】
【０００５】
請求項１の発明とすることにより、捕獲手段をあいだに挟むようにして通り道に設けた第一、第二の両検知手段が検知したことで捕獲手段が初めて捕獲姿勢に変姿することになる結果、モグラ科動物が通り道を何れの方向から移動してきたとしても確実な捕獲作動ができることになって、捕獲手段が捕獲姿勢になることが早すぎて取り逃がしてしまうようなことを回避でき、高い捕獲率を確保できることになる。
請求項２の発明とすることで、捕獲部材がリング状となっていてこれを通過しようとするモグラ科動物の捕獲ができることになって、不自然さを感じさせることがなく、さらなる捕獲率の向上が達成できる。
請求項３の発明とすることで、補助捕獲部材による一段と確実な挟持捕獲ができることになる。
請求項４の発明とすることで、検知手段が土面に載置されたものになって、移動するモグラ科動物に不自然さを与えて警戒されることを低減することができる。
請求項５の発明とすることで、何れか一方の検知手段が検知した場合の捕獲手段の待機姿勢への姿勢保持の構成を、構造簡単なものでできることになる。
請求項６の発明とすることで、リング状の捕獲部材のセッティングが容易となって、捕獲率の向上を達成できる。
【発明を実施するための最良の形態】
【０００６】
次ぎに、本発明の実施の形態について、図面に基づいて説明する。図中、１はモグラやヒミズ等の土中移動をするモグラ科動物の捕獲器であって、該捕獲器１は上下端が開放した筒状（本実施の形態では円筒状）の下フレーム２を備えて構成されるが、該下フレーム２の上半部には、有底かつ有天状に形成される筒状（本実施の形態では円筒状）の上フレーム３の下半部が内嵌する状態で一体に止着されている。上フレーム３の底面部３ａおよび天井面部３ｂには貫通孔３ｃ、３ｄがそれぞれ穿設されており、該貫通孔３ｃ、３ｄを貫通する状態で棒状の作動体４が上下方向移動自在に設けられている。作動体４の中間部には作動部材５が一体に設けられるが、該作動部材５は、作動体４より大径で上フレーム３内を上下方向移動自在に移動できる構成となっている。そして作動部材５は、該作動部材５と底面部３ａとの間に介装したコイル式の弾機６の付勢力を受けて自然状態では天井面部３ｂに当接する収納姿勢まで上動（移動）するようになっている。さらに作動部材５の左右（表現上、前後であっても良いが、以降、これを左右として方向の定義をする）方向周面には係止溝（係止穴等であっても良い）５ａ、５ｂが刻設されている。
【０００７】
前記上フレーム３の上下方向中間部には、左右一対の貫通孔７、８が穿設されると共に、該貫通孔７、８の孔縁から左右方向外方に向けて筒状の支持体９、１０が突設されている。支持体９、１０には棒状に形成される移動体１１、１２が左右方向移動自在に設けられているが、該移動体１１、１２の作動部材５に対向する内端に形成の係止部１１ａ、１２ａは前記係止溝５ａ、５ｂに係脱自在に係止できるようになっている。支持体９、１０の外端部上面にはブラケット１３がそれぞれ突設され、該ブラケット１３に設けた支軸１３ａにトリガー体１４、１５の上端部が左右方向揺動自在に軸支されている。トリガー体１４、１５は本実施の形態では板材から構成され、その中間部を、移動体１１、１２の支持体９、１０の左右方向外端から突出する部位に連結している。前記作動体４の上フレーム３から突出する上端部にはストッパ４ａ（本実施の形態ではダブルナットにより構成されている）が設けられ、さらにその上端には押し板４ｂが設けられている。そして押し板４ｂに上から手を置いた姿勢として、作動体４をストッパ４ａが上フレーム３の天井面部３ｂ上面に当接するまで弾機６の付勢力に抗する状態で下方に押し込むと、作動部材５の係止溝５ａ、５ｂが貫通孔７、８と対向する位置に位置するよう調整され、この状態で、トリガー体１４、１５を支軸１３ａを支点として内方（上フレーム３側）に揺動させて係止部１１ａ、１２ａを係止溝５ａ、５ｂに係止することで係止姿勢となって、作動体４は後述する待機姿勢に維持される（図５、図９（Ａ）参照）。そして作動体４は、何れか一方の係止部１１ａまたは１２ａの係止溝５ａ、５ｂからの脱離があっても他方の係止部１１ａまたは１２ａが係止姿勢になっているため、待機姿勢のままに維持され（図７、図９（Ｂ）参照）、両係止部１１ａ、１２ａの係止溝５ａ、５ｂからの脱離があったとき待機姿勢が解除され、これによって作動体４は弾機６の付勢力を受けて捕獲姿勢となるべく上動し（図８参照）、前記作動部材５が天井面部３ｂに当接する収納姿勢まで変姿できる（図９（Ｃ）参照）ようになっている。尚、図中、３ｅは上フレーム３の上端部に設けられる把手、１１ｂ、１２ｂは移動体１１、１２を係止位置側に付勢するための弾機である。
【０００８】
前記作動体４の上フレーム３から下方に突出する下端部には、上下方向に長く、前後方向に幅を存するよう略長円形状をしたリング状の主捕獲体（本発明の捕獲部材に相当する）１６の上端部が一体に連結されている。一方、下フレーム２には、その下半部に作動体４が収納姿勢となっている状態で主捕獲体１６を収納するための収納溝２ａが切り欠き形成されているとともに、下フレーム２の下端部には、主捕獲体１６の左右から挟むようにして下側が開放し前後方向に幅を持った略半円弧状をした補助捕獲体（補助捕獲部材）１７の上端部が一体に止着されている。そして作動体４が収納姿勢になっている状態では主捕獲体１６の下端部が補助捕獲体１７の上端部と略同一位置に位置しているが、作動体４を前記待機姿勢にした状態では、主捕獲体１６の上端部が補助捕獲体１７の上端部と略同位置に位置するようになっている。尚、図中、２ｂは下フレーム２の下端から下方に突設した銛である。
【０００９】
さらに下フレーム２の左右両周面には上下一対のブラケット１８、１９が左右方向に向けて突設されているが、上下ブラケット１８、１９を貫通する状態で上下方向に長いパイプ（筒）状の主ガイド２０が設けられ、さらに下ブラケット１９の先端部には補助ガイド１９ａが設けられており、これらガイド２０、１９ａにそれぞれ可動体２１、２１ａが上下方向移動自在に案内されるが、両可動体２１、２１ａの下端部には前後縁部が下方に湾曲した板状の検知体２２が止着されている。因みに、検知体２２と主捕獲体１６とのあいだの距離は、動物の肩から腰までが主捕獲体１６を通過しているときにタイミングを合わせて検知体２２が検知作動する距離に設定することが好ましいが、動物の大きさが個体毎に異なることもあって、例えば動物の尻尾を入れない平均全長の２／３〜１／３程度が好ましい。
さらに内側に位置する可動体２１、２１は、平面視で前記トリガー体１４、１５が設けられた位置と略同位置に配されているが、さらに可動体２１、２１の上端部には干渉体２３、２３が一体的に設けられている。そして干渉体２３、２３がトリガー体１４、１５に当接していない状態ではトリガー体１４、１５は略垂直上に垂下していて前記係止姿勢となっているが、検知体２２と共に干渉体２３、２３が上動して該干渉体２３、２３がトリガー体１４、１５に干渉（当接）すると、トリガー体１４、１５は外方に揺動することになって係止姿勢から離脱姿勢に変姿するようになっている。
【００１０】
さらに両上ブラケット１８の先端部（左右外端部）には前後方向に貫通するガイド体２４が止着され、該ガイド体２４に前後方向に長い棒状の支持体２５が前後方向位置調節自在に設けられ、さらに支持体２５の前後端部には、捕獲器１を地面に保持するための杭体２６が上下方向位置調節自在に設けられている。
【００１１】
また、２７は溝堀り具であって、該溝堀り具２７は、把手２７ａと、該把手２７ａから延出する棒体２７ｂと、棒体２７ｂの先端に設けられ、主捕獲体１６と略同形状をした溝掘り板２７ｃと、該溝堀り板２７ｃの板面上部位から板面と略直交する方向に突出する目印体２７ｄとを備えて構成されている。ここで目印体２７ｄの溝堀り板２７ｃ下端から突出位置までの長さは、主捕獲体１６を待機姿勢にセットしたときの該主捕獲体１６下端から下フレーム２下端位置までの長さと略一致するように設定されている。
【００１２】
そして捕獲器１をモグラ科動物の通り道Ｘにセットするには、例えば次のようにしてセットすることができる。まず、把持した溝堀り具２７の溝堀り板２７ｃを、前記通り道Ｘを横断するように押し込んで主捕獲体１６を差し込むための溝（穴）Ｙを開ける。このとき、溝堀り板２７ｃの下端が通り道Ｘの下面よりも少し深くなる位置に達するまで押し込んでから溝掘り具２７を左右に振ることで土崩れのない溝を形成することが好ましいが、通り道Ｘよりも深くまて達したことは、通り道Ｘの下面が、掘り返された通り道Ｘよりも硬いことで容易に確認できる。そしてこのように溝Ｙを開けることに伴い目印体２７ｄが通り道Ｘの下面からの深さの目印をすることになる。因みに、溝掘り具２７で形成する溝Ｙを通り道Ｘの下面より深くすることは、後述するように捕獲器１を待機姿勢にセットしたとき、主捕獲体１６の下部が溝Ｙに入り込むことになって、主捕獲体１６が通り道Ｘの下面に露出してしまうことを回避でき、これによって警戒心の強いモグラ科動物に違和感を感じさせないようにすることができる。
【００１３】
次に、捕獲器１をセットすることになるが、前記開けた溝Ｙ位置に平面視で主捕獲体１６が丁度位置すると共に、下フレーム２の下端が目印位置に位置するよう捕獲器１を配した状態で杭体２６を土中に打ち込んで固定する。しかる後、左右の検知体２２を、干渉体２３がトリガー体１４、１５に干渉しなくなる位置まで通り道Ｘの土面に当てた上体で押し込んだ後、押し板４ｂを手で押し込んで作動体４を待機姿勢まで移動させると、係止部１１ａ、１２ａが作動部材５の係止溝５ａ、５ｂに係止して該姿勢に保持されることになり、これによって捕獲器１を待機姿勢（図５、図６参照）に簡単にセットすることができる。なお、該捕獲器１をセットした部位の通り道Ｘの上面をヘラ等で軽く押したりたたいたりして通り道Ｘの上面が検知体２２の位置程度になるまで軽く潰しておくことが好ましく、このようにした場合、進行してきたモグラ科動物は、通り道Ｘが潰れていると判断して真剣に掘り起こす動きをし、これによって捕獲器１の存在を気づかせないものにでき、より捕獲率が向上する。
【００１４】
この待機姿勢の状態で、モグラ科動物が土中において土を掻き分けながら通り道Ｘを移動してきたとき（図面では右側から移動してきている）、該土中を移動してくる動物によって土が持ち上げられることで、まず該側の検知体２２が上動して検知状態となり、これによって該側のトリガー体１５が揺動して係止部１２ａが脱離姿勢となるが、この状態では、他側の検知体２２は下動した非検知状態であって係止部１１ａは係止姿勢となっているため作動体４は主捕獲体１６と共に待機姿勢に維持される（図７参照）。そして動物がさらに移動してきて主捕獲体１６を潜る（跨ぐ）状態にまで移動すると、今度は他側の土が持ち上げられて検知体２２が上動検知し、これによって他側のトリガー体１４が揺動して係止部１１ａが離脱姿勢となって作動体４が主捕獲体１６と共に弾機６の付勢力を受けて上動し、動物を主捕獲体１６と補助捕獲体１７とで挟み込んで捕獲することになる（図８参照）。
【００１５】
叙述のごとく構成された本発明の実施の形態において、捕獲器１は、主捕獲体１６を挟む前後一対の検知体２２の双方が動物が移動したことの検知をすることで待機姿勢から捕獲姿勢に変姿することになり、この結果、動物は、胴体部分が主捕獲体１６を潜った状態で捕獲されることになって、捕獲タイミングが早すぎて取り逃がしてしまうようなことがない。
しかも検知体２２は、主捕獲体１６を挟んで前後両側にあるため、動物が前後何れの方向から侵入して来ても同じ捕獲機能を発揮することになって、捕獲効果が向上する。
【００１６】
また捕獲器１は、リング状の主捕獲体１６が下フレーム２に退入することで動物を下フレーム２とのあいだで捕獲挟持するため、動物を銛で刺殺するような残酷さがないばかりでなく、誤って銛が作業者に刺さってしまうようなこともない。しかもリング状の主捕獲体１６で胴体部分を挟むため、捕獲した動物が主捕獲体１６からすり抜けてしまうことを回避できるが、さらにこのものでは副捕獲体１７による捕獲挟持の補助が図れ、捕獲効果が向上する。
【００１７】
そのうえ動物を検知する検知体２２は、動物が土中移動したときの土の盛り上がりを検知するという間接検知であるため、動物に違和感を与えることが少なくなって捕獲効果の向上に寄与する。
さらに前記待機姿勢、捕獲姿勢、解除姿勢の各姿勢において押し板４の位置がそれぞれ異なるため、捕獲器１を土から取り出さなくても、押し板４の位置を目視するだけで、動物の捕獲の有無、さらに振動等何らかの理由により両側の係止解除がなされて解除姿勢に変姿してしまったことを把握できる。
【００１８】
また、捕獲器１をセットする際に、溝堀り具２７を用いて通り道の底面を基準としたセットができることになる結果、本実施の形態のように主捕獲体１６がリング状であった場合に、その下半部が通り道を塞ぐかたちでセットされることになってしまい、通過しようとする動物の移動を妨げる等の違和感を与えることを回避し、捕獲率の向上が図れる。
【図面の簡単な説明】
【００１９】
【図１】捕獲器の正面図である。
【図２】捕獲器の側面図である。
【図３】捕獲器の平面図である。
【図４】捕獲器の断面図である。
【図５】待機姿勢の捕獲器を示す正面断面図である。
【図６】待機姿勢の捕獲器の使用状態を示す側面図である。
【図７】待機姿勢の捕獲器の使用状態を示す正面断面図である。
【図８】捕獲姿勢の捕獲器を示す正面断面図である。
【図９】（Ａ）、（Ｂ）、（Ｃ）は、作動部材の係止溝と係止部との係止状態を示す正面断面図である。
【図１０】（Ａ）は溝堀り具の正面図、（Ｂ）は溝堀り具の右側面図である。
【図１１】溝堀り具の使用状態説明図である。
【符号の説明】
【００２０】
１    捕獲器
２    下フレーム
２ａ  収納溝
３    上フレーム
４    作動体
４ａ  ストッパ
５    作動部材
６    弾機
１１、１２  移動体
１４、１５  トリガー体
１６    主捕獲体
１７    補助捕獲体
２２    検知体
２７    溝堀り具
２７ｄ  目印体
【図１】
2005245286.tif 000003
【図２】
2005245286.tif 000004
【図３】
2005245286.tif 000005
【図４】
2005245286.tif 000006
【図５】
2005245286.tif 000007
【図６】
2005245286.tif 000008
【図７】
2005245286.tif 000009
【図８】
2005245286.tif 000010
【図９】
2005245286.tif 000011
【図１０】
2005245286.tif 000012
【図１１】
2005245286.tif 000013